(57)【特許請求の範囲】
【請求項１】
被写体を撮像し、画像データを取得する撮像手段と、
前記画像データを記憶媒体に記録する記録手段と、
外部装置と通信するための通信手段と、
前記撮像手段による撮像後、前記画像データを所定時間表示する表示手段と、
前記表示手段に前記画像データを表示中に、当該画像データの消去を指示する指示手段と、
前記指示手段により消去の指示がされた場合に、前記画像データを消去する消去手段と、
制御手段とを有し、
前記制御手段は、
前記記録手段による前記記憶媒体への前記画像データの記録と、前記通信手段による前記外部装置への前記画像データの送信とが並行して行われている場合に、前記指示手段を無効化し、
前記記録手段による前記記憶媒体への前記画像データの記録と、前記通信手段による前記外部装置への前記画像データの送信のいずれか一方が行われている場合に、前記指示手段を有効化することを特徴とする撮像装置。
【請求項２】
前記記録手段による前記記憶媒体への前記画像データの記録と、前記通信手段による前記外部装置への前記画像データの送信のいずれか一方を行うか、両方を並行して行うかを選択する選択手段を更に有することを特徴とする請求項１に記載の撮像装置。
【請求項３】
前記記憶媒体の状態を判断する手段と、
前記外部装置との通信状態を判断する手段と、
前記記憶媒体の状態及び前記通信状態に基づいて、前記記録手段による前記記憶媒体への前記画像データの記録と、前記通信手段による前記外部装置への前記画像データの送信のいずれか一方を行うか、両方を並行して行うかを決定する決定手段と
を更に有することを特徴とする請求項１に記載の撮像装置。
【請求項４】
前記撮像手段により取得した画像データを保存する一時記憶手段を更に有し、
前記消去手段は、前記一時記憶手段及び前記記録手段から、前記画像データを消去することを特徴とする請求項１乃至３のいずれか１項に記載の撮像装置。
【請求項５】
被写体を撮像し、画像データを取得する撮像手段と、前記画像データを記憶媒体に記録する記録手段と、外部装置と通信するための通信手段と、前記撮像手段による撮像後、前記画像データを所定時間表示する表示手段と、前記表示手段に前記画像データを表示中に、当該画像データの消去を指示する指示手段と、前記指示手段により消去の指示がされた場合に、前記画像データを消去する消去手段とを有する撮像装置の制御方法であって、
前記記録手段による前記記憶媒体への前記画像データの記録と、前記通信手段による前記外部装置への前記画像データの送信とが並行して行われている場合に、前記指示手段を無効化する工程と、
前記記録手段による前記記憶媒体への前記画像データの記録と、前記通信手段による前記外部装置への前記画像データの送信のいずれか一方が行われている場合に、前記指示手段を有効化する工程と
を有することを特徴とする撮像装置の制御方法。
【請求項６】
前記記録手段による前記記憶媒体への前記画像データの記録と、前記通信手段による前記外部装置への前記画像データの送信のいずれか一方を行うか、両方を並行して行うかを選択する工程を更に有することを特徴とする請求項５に記載の撮像装置の制御方法。
【請求項７】
前記記憶媒体の状態を判断する工程と、
前記外部装置との通信状態を判断する工程と、
前記記憶媒体の状態及び前記通信状態に基づいて、前記記録手段による前記記憶媒体への前記画像データの記録と、前記通信手段による前記外部装置への前記画像データの送信のいずれか一方を行うか、両方を並行して行うかを決定する工程と
を更に有することを特徴とする請求項５に記載の撮像装置の制御方法。
【請求項８】
前記撮像装置は、前記撮像手段により取得した画像データを保存する一時記憶手段を更に有し、前記消去手段は、前記一時記憶手段及び前記記録手段から、前記画像データを消去することを特徴とする請求項５乃至７のいずれか１項に記載の撮像装置の制御方法。
【発明の詳細な説明】
【技術分野】
【０００１】
本発明は、デジタルカメラなどの撮像装置及びその制御方法に関するものである。
【背景技術】
【０００２】
近年、デジタルカメラの機能の一つとして「撮影同時転送」が提案されている（例えば、特許文献１参照）。「撮影同時転送」とは、撮影画像をメモリカード等の記憶媒体に記録すると同時に（或いは並行して）その撮影画像をパーソナルコンピュータ等の外部装置に転送する機能である。この機能を用いれば、撮影画像をすぐに外部装置に転送することができる。
【０００３】
また、デジタルカメラの機能の一つとして「クイックレビュー」が知られている（例えば、特許文献２参照）。「クイックレビュー」とは、撮影直後に撮影画像を液晶パネルに表示する機能である。この機能を用いれば、撮影直後の画像をすぐに確認することができる。
【０００４】
【特許文献１】特開２０００−１３７７９６号公報
【特許文献２】特開平１１−２６１８５３号公報
【発明の開示】
【発明が解決しようとする課題】
【０００５】
しかしながら、特許文献１及び２の何れにも、撮影同時転送中にクイックレビューを行うことは提案されていない。
【０００６】
また、特許文献１及び２の何れにも、撮影同時転送中にクイックレビューされた撮影画像をメモリカード等の記憶媒体に記録させないようにしたり、記憶媒体から消去したりすることは提案されていない。
【０００７】
本発明は上記問題点を鑑みてなされたものであり、撮影同時転送中にクイックレビューされた撮影画像をメモリカード等の記憶媒体に記録させないようにしたり、記憶媒体から消去したりすることができるようにすることを目的とする。
【課題を解決するための手段】
【０００８】
上記目的を達成するために、本発明の撮像装置は、被写体を撮像し、画像データを取得する撮像手段と、前記画像データを記憶媒体に記録する記録手段と、外部装置と通信するための通信手段と、前記撮像手段による撮像後、前記画像データを所定時間表示する表示手段と、前記表示手段に前記画像データを表示中に、当該画像データの消去を指示する指示手段と、前記指示手段により消去の指示がされた場合に、前記画像データを消去する消去手段と、制御手段とを有し、前記制御手段は、前記記録手段による前記記憶媒体への前記画像データの記録と、前記通信手段による前記外部装置への前記画像データの送信とが並行して行われている場合に、前記指示手段を無効化し、前記記録手段による前記記憶媒体への前記画像データの記録と、前記通信手段による前記外部装置への前記画像データの送信のいずれか一方が行われている場合に、前記指示手段を有効化する。
【０００９】
また、被写体を撮像し、画像データを取得する撮像手段と、前記画像データを記憶媒体に記録する記録手段と、外部装置と通信するための通信手段と、前記撮像手段による撮像後、前記画像データを所定時間表示する表示手段と、前記表示手段に前記画像データを表示中に、当該画像データの消去を指示する指示手段と、前記指示手段により消去の指示がされた場合に、前記画像データを消去する消去手段とを有する撮像装置の制御方法であって、前記記録手段による前記記憶媒体への前記画像データの記録と、前記通信手段による前記外部装置への前記画像データの送信とが並行して行われている場合に、前記指示手段を無効化する工程と、前記記録手段による前記記憶媒体への前記画像データの記録と、前記通信手段による前記外部装置への前記画像データの送信のいずれか一方が行われている場合に、前記指示手段を有効化する工程とを有する。
【発明の効果】
【００１０】
本発明によれば、撮影同時転送中にクイックレビューされた撮影画像をメモリカード等の記憶媒体に記録させないようにしたり、記憶媒体から消去したりすることができるようにすることが可能になる。
【発明を実施するための最良の形態】
【００１１】
以下、添付図面を参照して本発明の実施の形態を詳細に説明する。
【００１２】
図１は、本発明の実施の形態における撮像システムの構成を示すブロック図である。本実施の形態における撮像システムは、図１に示すように、デジタルカメラ１００と外部装置２００とから構成される。
【００１３】
デジタルカメラ１００は、本実施の形態に係る撮像装置の一例である。本実施の形態に係る撮像装置は、デジタルカメラに限るものではなく、デジタルカメラとして動作する装置であってもよい。従って、デジタルカメラ１００は、デジタルビデオカメラ、デジタルカメラ付き携帯端末等であってもよい。
【００１４】
また、外部装置２００には、ＰＣ（パーソナルコンピュータ）等のコンピュータを用いることができる。この場合、外部装置２００は、図示しないが、ＣＰＵなどの演算処理装置と、ＲＡＭなどの一次記憶装置と、ハードディスクなどの二次記憶装置と、キーボード、マウスなどの操作装置と、表示装置とを有する。また、外部装置２００には、プリンタ又はプリンタとして動作する装置を用いることもできる。
【００１５】
図１において、１０はレンズ部、１２は絞り機能を備えるシャッター、１４は光学像を電気信号に変換する撮像素子、１６は撮像素子１４からのアナログ画像信号をデジタル化し、画像データを変換するＡ／Ｄ変換器である。なお、撮像素子１４には、ＣＣＤイメージセンサ、ＣＭＯＳイメージセンサ等を用いることができる。
【００１６】
１８は撮像素子１４、Ａ／Ｄ変換器１６、Ｄ／Ａ変換器２６にそれぞれクロック信号や制御信号を供給するタイミング発生部であり、メモリ制御部２２及びシステム制御部５０により制御される。
【００１７】
２０は画像処理部であり、Ａ／Ｄ変換器１６からの画像データ或いはメモリ制御部２２からの画像データに対して所定の画素補間処理や色変換処理を行う。また、画像処理部２０は、Ａ／Ｄ変換器１６から出力される画像データを用いて所定の演算処理を行う。そして、得られた演算結果に基づいてシステム制御部５０が露光制御部４０、測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理部２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１８】
２２はメモリ制御部であり、Ａ／Ｄ変換器１６、タイミング発生部１８、画像処理部２０、画像表示メモリ２４、Ｄ／Ａ変換器２６、メモリ３０、圧縮伸長部３２を制御する。Ａ／Ｄ変換器１６から出力される画像データは、画像処理部２０、メモリ制御部２２を介して、或いはメモリ制御部２２のみを介して、画像表示メモリ２４或いはメモリ３０に書き込まれる。
【００１９】
２６はＤ／Ａ変換器、２８はＴＦＴ、ＬＣＤ等から成る画像表示部であり、メモリ３０に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御部５０の指示により任意に表示をＯＮ／ＯＦＦすることが可能であり、表示をＯＦＦにした場合にはデジタルカメラ１００の電力消費を大幅に低減することができる。
【００２０】
３０は撮影した静止画像や動画像を格納するためのメモリであり、所定枚数の静止画像や所定時間の動画像を格納するのに十分な記憶容量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御部５０の作業領域としても使用することが可能である。
【００２１】
３２は所定の画像圧縮方法を用いて画像データを圧縮する機能と、所定の画像圧縮方法を用いて圧縮された画像データを伸長する機能とを有する圧縮伸長部である。圧縮伸長部３２は、メモリ３０に格納された画像データを読み込んで圧縮処理或いは伸長処理を行い、処理を終えたデータを再びメモリ３０に書き込む。なお、所定の画像圧縮方法には、JPEG、JPEG 2000等で規定された画像圧縮方法を用いることができるし、適応離散コサイン変換（ＡＤＣＴ）を利用した画像圧縮方法を用いることもできる。
【００２２】
４０は露光制御部であり、絞り機能を備えるシャッター１２を制御する。露光制御部４０は、フラッシュ４８と連携することによりフラッシュ調光機能も有する。４２はレンズ部１０のフォーカシングを制御する測距制御部、４４はレンズ部１０のズーミングを制御するズーム制御部、４６はバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されている。上述の通り、Ａ／Ｄ変換器１６からの画像データを画像処理部２０によって演算した演算結果に基づき、システム制御部５０が露光制御部４０及び測距制御部４２を制御する。
【００２３】
５０はデジタルカメラ１００全体を制御するシステム制御部、５２はシステム制御部５０の動作用の定数、変数、プログラム等を記憶するメモリである。
【００２４】
５４はシステム制御部５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、デジタルカメラ１００の操作部７０近辺の、視認しやすい、単数あるいは複数箇所に設置されている。また、通知部５４は、その一部の機能が光学ファインダー１０４内に設置されている。
【００２５】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、メモリカード９２の着脱状態表示、通信Ｉ／Ｆ動作表示、日付・時刻表示なども行われる。
【００２６】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００２７】
５６は電気的に消去・記録可能な不揮発性メモリであり、例えばＥＥＰＲＯＭ等が用いられる。
【００２８】
５８、６０、６２、６４、６６、６８及び７０は、システム制御部５０の各種の動作指示を入力するための操作手段であり、スイッチやダイアル、タッチパネル、視線検知によるポインティング、音声認識装置等の単数或いは複数の組み合わせで構成される。
【００２９】
ここで、これらの操作手段の具体的な説明を行う。
【００３０】
５８は消去ボタンで、クイックレビュー中に、表示されている撮影画像を消去する指示を行うために用いられる。
【００３１】
６０はモードダイアルスイッチで、電源オフ、自動撮影モード、プログラム撮影モード、パノラマ撮影モード、再生モード、マルチ画面再生・消去モード、ＰＣ接続モード等の各機能モードを切り替え設定することができる。
【００３２】
第１シャッタースイッチ（ＳＷ１）６２は、デジタルカメラ１００に設けられたシャッターボタンの第１ストローク（例えば半押し）によりＯＮとなり、
【００３３】
ＡＦ（オートフォーカス）処理、ＡＥ（自動露出）処理、ＡＷＢ（オートホワイトバランス）処理、ＥＦ処理等の開始を指示する。
第２シャッタースイッチ（ＳＷ２）６４は、デジタルカメラ１００に設けられたシャッターボタンの第２ストローク（例えば全押し）によりＯＮとなり、露光処理、現像処理及び記録処理からなる一連の処理の開始を指示する。まず、露光処理では、撮像素子１４から読み出した信号をＡ／Ｄ変換器１６、メモリ制御部２２を介して画像データをメモリ３０に書き込み、更に、画像処理部２０やメモリ制御部２２での演算を用いた現像処理が行われる。更に、メモリ３０から画像データを読み出し、圧縮伸張部３２で圧縮を行い、メモリカード９２に画像データを書き込む記録処理が行われる。
【００３４】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ、ＬＣＤ等を有する画像表示部２８への電流供給を遮断することにより、省電力を図ることが可能となる。
【００３５】
６８はクイックレビューＯＮ／ＯＦＦスイッチで、撮影直後に撮影した画像データを所定時間自動再生する、所謂「クイックレビュー」機能のＯＮ／ＯＦＦを設定する。なお、本実施の形態では、特に、画像表示部２８をＯＮとした場合におけるクイックレビュー機能の設定をする機能を備えるものとする。
【００３６】
７０は各種ボタンやタッチパネルなどから成る操作部である。一例として、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタンを含む。更に、再生画像移動＋（プラス）ボタン、再生画像移動−（マイナス）ボタン、撮影画質選択ボタン、露出補正ボタン、日付／時間設定ボタン、フォーマット操作ボタンなども含む。また、撮影時に、撮影画像をメモリカード９２に記憶するのと同時に外部装置（本実施の形態では外部装置２００）に送信するか否かを設定する撮影同時転送ＯＮ／ＯＦＦボタンも含む。
【００３７】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御部５０の指示に基づいてＤＣ−ＤＣコンバータを制御し、必要な電圧を必要な期間、記憶媒体を含む各部へ供給する。
【００３８】
８２、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源部である。
【００３９】
９２は取り外し可能な記憶媒体の一例であるメモリカードである。メモリカード９２には、ＳＤメモリカード、コンパクトフラッシュ（登録商標）等を用いることができる。９０はメモリカード９２とデータの送受信を行うカードコントローラである。９１はメモリカード９２とのインターフェースであるカードＩ／Ｆ（インターフェース）である。９８はメモリカード９２がデジタルカメラ１００に装着されているか否かを検知するメモリカード検知部である。
【００４０】
１０２は、デジタルカメラ１００のレンズ部１０を含む撮像部を覆う事により、撮像部の汚れや破損を防止する保護装置であるバリアである。
【００４１】
１０４は光学ファインダーであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００４２】
１１２は、外部装置２００との間で双方向通信を行う通信Ｉ／Ｆ（インターフェース）である。通信Ｉ／Ｆ１１２の通信方式は特に限定されず、例えば、ＰＣとのＵＳＢケーブル等の有線接続方式、無線ＬＡＮ方式、Bluetooth方式、赤外線方式など、様々な方式を適用できる。通信Ｉ／Ｆ１１２において通信制御部１１０で所定の通信方式に従った信号形式のデータに変換することによって、外部装置２００のコンピュータやプリンタ等の周辺機器との間で、画像データや画像データに付属した管理情報を転送し合うことができる。
【００４３】
次に、デジタルカメラ１００が外部装置２００が通信可能に接続された状態であって、クイックレビューがＯＮに設定されている場合の、本実施の形態における撮影画像の記録及び転送処理について、図２のフローチャートを参照して説明する。
【００４４】
まず、撮影を行うと（ステップＳ１０１）、撮影画像がメモリ３０に格納される（ステップＳ１０２）。
【００４５】
次に、操作部７０の撮影同時転送ＯＮ／ＯＦＦボタンにより撮影同時転送が選択されているかどうかを判断し（ステップＳ１０３）、撮影同時転送が選択されていた場合、ステップＳ１０４で消去ボタン５８を無効にする。ここでは、例えば、消去ボタン５８が操作された場合であっても、その操作を無視するように設定する。その後、メモリ３０に格納された画像の、メモリカード９２への記録（ステップＳ１０５）、外部装置２００への転送（ステップＳ１０７）、クイックレビュー（ステップＳ１０９）の３つのタスクを並列に行う。ステップＳ１０５の記録処理は、撮影画像がメモリカード９２に記録され終わるまで（ステップＳ１０６でＹＥＳとなるまで）続けられる。ステップＳ１０７の転送処理は、撮影画像が外部装置２００に転送され終わるまで（ステップＳ１０８でＹＥＳとなるまで）続けられる。ステップＳ１０９のクイックレビューは予め設定されている所定時間が経過するまで（ステップＳ１１０でＹＥＳとなるまで）続けられる。なお、所定時間が経過するとクイックレビューを終了し、画像表示部２８には、いわゆるスルー画像（記録を行わずに所定時間間隔で撮影された画像）が表示される。
【００４６】
ステップＳ１１１では、上記３つのタスクが全て終了するのを待ち、終了すると、メモリ３０の当該撮影画像を格納した領域を開放する（ステップＳ１２２）。
【００４７】
このように、撮影同時転送が選択されている場合には、クイックレビュー中に撮影画像の消去ができないように制御する。
【００４８】
一方、ステップＳ１０３で撮影同時転送が選択されているかどうかを判断した結果、撮影同時転送が選択されていない場合には、記録処理（ステップＳ１１２）とクイックレビュー（ステップＳ１１７）の２つのタスクを並行して実行する。
【００４９】
ステップＳ１１７のクイックレビューは、基本的に所定時間が経過するまで（ステップＳ１１８でＹＥＳとなるまで）行われる。なお、上述したように、所定時間が経過するとクイックレビューを終了し、画像表示部２８には、いわゆるスルー画像（記録を行わずに所定時間間隔で撮影された画像）が表示される。ただし、撮影同時転送が選択されていない場合には、所定時間が経過する前に（ステップＳ１１８でＮＯ）、消去ボタン５８により消去指示されると（ステップＳ１１９でＹＥＳ）、ステップＳ１２０に進んでクイックレビューを中断する。
【００５０】
また、ステップＳ１１２で行われるメモリ３０に格納された画像をメモリカード９２へ記録する記録処理は、基本的に撮影画像がメモリカード９２に記録され終わるまで（ステップＳ１１３でＹＥＳとなるまで）続けられる。ただし、上述したようにクイックレビュー中に消去ボタン５８が押下された場合には（ステップＳ１１４でＹＥＳ）、以下の処理を実行する。まず、ステップＳ１１５で現在行っている記録処理を中断し、これまでに記録し終わっている撮影画像の画像データをメモリカード９２から消去する。
【００５１】
ステップＳ１２１では、記録処理及びクイックレビューの終了（完了または中断）を待ち、終了すると、メモリ３０の当該撮影画像を格納した領域を開放する（ステップＳ１２２）。
【００５２】
このように、撮影同時転送が選択されていない場合には、クイックレビュー中に撮影画像の消去ができるように制御する。
【００５３】
なお、消去ボタン５８により消去指示がされた場合に、「消去しますか？」などの確認メッセージを表示することで、消去ボタン５８の誤操作に対応できるように構成しても良い。そして、確認メッセージに対してキャンセルが指示された場合には、クイックレビューを終了してスルー表示に切り替えるように制御しても、クイックレビューを続けるように制御してもよい。
【００５４】
また、上記実施の形態では、クイックレビュー中の画像の消去を指示するために、専用の消去ボタン５８を設けるものとしたが、本発明はこれに限るものでは無い。例えば、他のボタンに当該機能を割り当てるようにしたり、ソフトウエアにより画像表示部２８に「消去」ボタンを表示させ、操作部７０のボタンを用いて選択するようにするなど、様々な消去指示方法が考えられる。なお、後者の場合には、ステップＳ１０４の処理において、「消去」ボタン自体を表示しないようにしたり、「消去」ボタンが選択できないことを示したりしてもよい。或いは、選択可能時とは異なるように表示する（例えば淡色表示する）ようにしても良い。
【００５５】
また、上記実施の形態では、撮影同時転送が選択されていない場合には、メモリカード９２への記録が行われるものとして説明したが、外部装置２００への送信処理を行うようにしても良い。即ち、記録と送信を並行して行っている場合には、クイックレビューされている画像の消去ができないように制御し、いずれか一方のみを行っている場合には、クイックレビューされている画像の消去ができるように制御すればよい。
【００５６】
このように、撮影同時転送中にクイックレビューされた撮影画像をメモリカード９２に記録させないようにしたり、メモリカード９２から消去したりすることができるようにすることができる。
【００５７】
＜変形例＞
上記実施の形態では、撮影同時転送を行うかどうかを予め選択する場合について説明したが、本発明はこれに限るものではなく、以下のように制御することも可能である。メモリカード９２が画像データを記録可能な状態であるかどうか、及び、外部装置２００と通信可能な状態であるかどうかを判断し、判断結果に応じて、撮影同時転送を行うかどうかを判断する。この判断処理の内容を図３に示す。
【００５８】
この判断処理は、カードコントローラ９０やメモリカード検知部９８から得られるメモリカード９２の情報、及び、通信制御部１１０から得られる外部装置２００との通信状態に関する情報に基づいて、システム制御部５０が実行することが可能である。
【図面の簡単な説明】
【００５９】
【図１】本発明の実施の形態における撮像システムの構成を示すブロック図である。
【図２】本発明の実施の形態の撮像画像の記録及び転送処理を示すフローチャートである。
【図３】本発明の実施の形態の変形例における撮影同時転送の判断処理の内容を示す図である。
【符号の説明】
【００６０】
１０：レンズ部、１２：シャッター、１４：撮像素子、１６：Ａ／Ｄ変換器、１８：タイミング発生部、２０：画像処理部、２２：メモリ制御部、２６：Ｄ／Ａ変換器、２８：画像表示部、３０：メモリ、３２：圧縮伸長部、４０：露光制御部、４２：測距制御部、４４：ズーム制御部、４６：バリア制御部、４８：フラッシュ、５０：システム制御部、５２：メモリ、５４：通知部、５６：不揮発性メモリ、５８：消去ボタン、６０：モードダイアルスイッチ、６２：第１シャッタースイッチ（ＳＷ１）、６４：第２シャッタースイッチ（ＳＷ２）、６６：画像表示ＯＮ／ＯＦＦスイッチ、７０：操作部、８０：電源制御部、８２、８４：コネクタ、８６：電源、９０：カードコントローラ、９２：メモリカード、９８：メモリカード検知部、１００：デジタルカメラ、１０２：バリア、１１０：通信制御部、１１２：通信インターフェース、２００：外部装置
【図１】
0004721417.tif 000002
【図２】
0004721417.tif 000003
【図３】
0004721417.tif 000004